(57)【特許請求の範囲】
【請求項１】
複数のモジュラーエレメント（２）を備えているジュエリーアイテム（１）であり、そのようなモジュラーエレメント（２）の少なくとも一つは、
・三つのさらなるモジュラーエレメント（２ａ，２ｂ，２ｃ）に連結するための少なくとも三つの連結点（３ａ，３ｂ，３ｃ）を備えており、各連結点（３ａ，３ｂ，３ｃ）は、前記少なくとも一つのモジュラーエレメント（２）をさらなるモジュラーエレメント（２ａ，２ｂ，２ｃ）に連結するのに適しており、また、
・少なくとも一つの中間部分（４）を備えており、それは、前記三つの連結点（３ａ，３ｂ，３ｃ）の第一のさらなるモジュラーエレメント（２ａ）への連結のための第一の連結点（３ａ）と、第二のさらなるモジュラーエレメント（２ｂ）への連結のための第二の連結点（３ｂ）の間に挿入されており、前記少なくとも一つの中間部分（４）は、前記第一のさらなるモジュラーエレメント（２ａ）と前記第二のさらなるモジュラーエレメント（２ｂ）の間への第四のさらなるエレメント（２ｄ）の挿入を可能にするように構成されており、
前記四つのさらなるモジュラーエレメント（２ａ，２ｂ，２ｃ，２ｄ）および前記少なくとも一つのモジュラーエレメント（２）は、少なくとも三つの連結点（３ａ，３ｂ，３ｃ）を備えており、
前記少なくとも一つのモジュラーエレメント（２）は、前記三つのさらなるモジュラーエレメント（２ａ，２ｂ，２ｃ）に連結され、前記ジュエリーアイテム（１）が収縮外形から伸張外形に進行してその寸法を変えるように、前記第四のさらなるモジュラーエレメント（２ｄ）と連結されている、ジュエリーアイテム（１）。
【請求項２】
前記中間部分（４）は、前記第四のさらなるモジュラーエレメント（２ｄ）への連結のためのさらなる連結点を備えている、請求項１に記載のジュエリーアイテム（１）。
【請求項３】
前記モジュラーエレメント（２）は互いに同一である、請求項１または２に記載のジュエリーアイテム（１）。
【請求項４】
前記さらなるモジュラーエレメント（２ａ，２ｂ，２ｃ、２ｄ）は互いに同一である、請求項１ないし３のいずれか一つに記載のジュエリーアイテム（１）。
【請求項５】
前記モジュラーエレメント（２）と前記さらなるモジュラーエレメント（２ａ，２ｂ，２ｃ、２ｄ）は互いに同一である、請求項１ないし４のいずれか一つに記載のジュエリーアイテム（１）。
【請求項６】
前記モジュラーエレメント（２）は同じ平面αに属し、前記さらなるモジュラーエレメント（２ａ，２ｂ，２ｃ、２ｄ）は、平面αに平行な同じ平面βに属している、請求項１ないし５のいずれか一つに記載のジュエリーアイテム（１）。
【請求項７】
前記中間部分（４）は二つあり、第一のものは、前記第一のさらなるモジュラーエレメント（２ａ）への連結のための前記第一の連結点（３ａ）と、前記第二のさらなるモジュラーエレメント（２ｂ）への連結のための前記第二の連結点（３ｂ）の間に挿入され、前記第一のさらなるモジュラーエレメント（２ａ）と前記第二のさらなるモジュラーエレメント（２ｂ）の間への前記第四のさらなるモジュラーエレメント（２ｄ）の挿入を可能にするように構成されており、第二のものは、前記第二のさらなるモジュラーエレメント（２ｂ）への連結のための前記第二の連結点（３ｂ）と、第三のさらなるモジュラーエレメント（２ｃ）への連結のための第三の連結点（３ｃ）の間に挿入され、前記第二のさらなるモジュラーエレメント（２ｂ）と前記第三のさらなるモジュラーエレメント（２ｃ）の間への第五のさらなるモジュラーエレメント（２ｅ）の挿入を可能にするように構成されている、請求項１ないし６のいずれか一つに記載のジュエリーアイテム（１）。
【請求項８】
前記モジュラーエレメント（２）は、回転ピンを介して前記連結点（３ａ，３ｂ，３ｃ）で前記さらなるモジュラーエレメント（２ａ，２ｂ，２ｃ）と連結されている、請求項１ないし７のいずれか一つに記載のジュエリーアイテム（１）。
【請求項９】
前記連結点（３ａ，３ｂ，３ｃ）は貫通穴を備えている、請求項１ないし８のいずれか一つに記載のジュエリーアイテム（１）。
【請求項１０】
宝石（６）または他の装飾エレメントを収容するのに適したハウジング（５）をさらに備えている、請求項１ないし９のいずれか一つに記載のジュエリーアイテム（１）。
【請求項１１】
前記ハウジング（５）は、連結点（３ａ，３ｂ，３ｃ）および／または各中間エリア（４）に配置されている、請求項１０に記載のジュエリーアイテム（１）。
【請求項１２】
前記モジュラーエレメント（２）および／または前記さらなるモジュラーエレメント（２ａ，２ｂ，２ｃ，２ｄ，２ｅ）の間の少なくとも一つは長い形に形づくられている、請求項１ないし１０のいずれか一つに記載のジュエリーアイテム（１）。
【請求項１３】
可変寸法のジュエリーアイテム（１）を得るためにモジュラーエレメント（２）を連結する方法であり、
ａ．モジュラーエレメント（２）を少なくとも三つのさらなるモジュラーエレメント（２ａ，２ｂ，２ｃ）に、対応する三つの連結点（３ａ，３ｂ，３ｃ）において連結するステップと、
ｂ．前記モジュラーエレメント（２）に連結された前記三つのさらなるモジュラーエレメント（２ａ，２ｂ，２ｃ）の二つの間に少なくとも一つのモジュラーエレメント（２ｄ，２ｅ）を挿入するステップを有しており、前記四つのモジュラーエレメント（２ａ，２ｂ，２ｃ，２ｄ）および前記モジュラーエレメント（２）は、少なくとも三つの連結点（３ａ，３ｂ，３ｃ）を備えており、その結果、そのような挿入されたさらなるモジュラーエレメント（２ｄ，２ｅ）は、それの中間エリア（４）において前記モジュラーエレメント（２）と連結する、方法。
【請求項１４】
前記ステップｂは、二つのさらなるモジュラーエレメントの、おのおの、前記モジュラーエレメントに連結された前記三つのさらなるモジュラーエレメントの二つの間への挿入を有している、請求項１３に記載の可変寸法のジュエリーアイテム（１）を得るためにモジュラーエレメント（２）を連結する方法。
【発明の詳細な説明】
【技術分野】
【０００１】
本発明は、ジュエリーアイテム、およびそのようなジュエリーアイテムを得るためにモジュラーエレメントを連結する方法に関する。
【０００２】
特に、本発明は、ジュエリーアイテムを可変寸法のアイテムにするように互いに連結される複数のモジュラーエレメントを備えているジュエリーアイテムに関する。
【背景技術】
【０００３】
可変寸法のジュエリーアイテムを製作するためにモジュラーエレメントを連結する方法および関連するジュエリーアイテムが知られている。
【０００４】
このタイプのアイテムは、たとえば、ＤＥ９１００４３０またはＥＰ１９１１３６６に説明されている。
【０００５】
そのような文献は、閉じた（または収縮）外形から始まって開いた（または伸張）外形にまで、アイテム自体の寸法を変えるジュエリーアイテムを開示している。
【０００６】
しかしながら、そのようなアイテムは、開いた外形では、衝撃の際に破損するほかに、それらが脆弱である、すなわち、使用のあいだに変形しやすいという事実にある欠点を有している。
【０００７】
さらに、閉じた位置では美学的に好ましいが、それの開いた位置では美学的に満足でない。
【０００８】
そのような既知のアイテムの別の欠点は、ほとんど頑丈でないので、それらは、最大の開いた位置と最大に閉じた位置の間の中間の位置をほとんど維持しないが、これらの二つの位置の一方を取る傾向があり、したがって非モジュラー寸法をもたらすという事実に関連している。
【０００９】
したがって、本発明の目的は、開いたまたは伸張した位置でも抵抗があり、美学的に楽しい可変寸法のジュエリーアイテムを提供することである。
【００１０】
本発明のさらなる目的は、シンプルで経済的である可変寸法のジュエリーアイテムを得るためにモジュラーエレメントを連結するとともに、それのすべての可能な外形において耐性があり楽しいアイテムを得ることを可能にするための方法を提供することである。
【００１１】
本発明のさらなる目的は、ジュエリーアイテムの寸法のモジュール性を許可し、寸法と味わいに関して異なる使用者に適応可能にすることである。
【先行技術文献】
【特許文献】
【００１２】
【特許文献１】ＤＥ９１００４３０
【特許文献２】ＥＰ１９１１３６６
【発明の概要】
【００１３】
これらおよび他の目的は、複数のモジュラーエレメントを備えているジュエリーアイテムによって達成され、そのようなモジュラーエレメントの少なくとも一つは、
・三つのさらなるモジュラーエレメントに連結するための少なくとも三つの連結点を備えており、前記連結点は、前記少なくとも一つのモジュラーエレメントをさらなるモジュラーエレメントに連結するのに適しており、また、
・少なくとも一つの中間部分を備えており、それは、前記三つの連結点の第一のさらなるモジュラーエレメントへの連結のための第一の連結点と、第二のさらなるモジュラーエレメントへの連結のための第二の連結点の間に挿入されており、前記少なくとも一つの中間部分は、前記さらなる第一のさらなるモジュラーエレメントと前記さらなる第二のモジュラーエレメントの間へのさらなる第四のエレメントの挿入を可能にするように構成されており、
前記少なくとも一つのモジュラーエレメント（２）は、前記三つのさらなるモジュラーエレメント（２ａ，２ｂ，２ｃ）に連結され、前記ジュエリーアイテム（１）が収縮外形から伸張外形に進行してその寸法を変えるように、前記さらなる第四のモジュラーエレメント（２ｄ）と適切に関連されている。
【００１４】
そのような特徴の組み合わせは、それのおのおのの外形において耐性があり美学的に楽しいジュエリーアイテムを得ることを可能にする。
【００１５】
特に、同じモジュラーエレメントに連結された二つのさらなるモジュラーエレメントの間への、モジュラーエレメントに適切に関連された、さらなるモジュラーエレメントの挿入は、変形と衝撃に対する高い耐性と、美学的に楽しいコンパクトな構造を作り出すのを助ける。
【００１６】
本発明のある好適な実施形態によれば、前記中間部分（４）は、前記さらなる第四のモジュラーエレメント（２ｄ）への連結のためのさらなる連結点を備えている。
【００１７】
このように、前記モジュラーエレメントはまた、そのようなさらなるモジュラーエレメントに連結され、前記アイテムはまたさらに耐性がある。
【００１８】
有利には、前記モジュラーエレメントは互いに同一であり、前記さらなるモジュラーエレメントは互いに同一であり、および／または、前記モジュラーエレメントと同一であり、明らかに製作上の利点がある。
【００１９】
あるいは、それらは互いに異なっており、それで得られることができる異なる審美的な解決策の利点がある。
【００２０】
好ましくは、前記モジュラーエレメントは同じ平面αに属し、前記さらなるモジュラーエレメントは、平面αに平行な同じ平面βに属している。
【００２１】
好ましい実施形態によれば、前記中間部分は二つあり、第一のものは、前記さらなる第一のモジュラーエレメント（２ａ）への連結のための前記第一の連結点（３ａ）と、前記さらなる第二のモジュラーエレメント（２ｂ）への連結のための前記第二の連結点（３ｂ）の間に挿入され、前記さらなる第一のモジュラーエレメント（２ａ）と前記さらなる第二のモジュラーエレメント（２ｂ）の間への前記さらなる第四のモジュラーエレメント（２ｄ）の挿入を可能にするように構成されており、第二のものは、前記さらなる第二のモジュラーエレメント（２ｂ）への連結のための前記第二の連結点（３ｂ）と、さらなる第三のモジュラーエレメント（２ｃ）への連結のための第三の連結点（３ｃ）の間に挿入され、前記さらなる第二のモジュラーエレメント（２ｂ）と前記さらなる第三のモジュラーエレメント（２ｃ）の間へのさらなる第五のモジュラーエレメント（２ｅ）のの挿入を可能にするように構成されている。
【００２２】
好ましくは、前記モジュラーエレメントは、回転ピンを介して前記連結点で前記さらなるモジュラーエレメントと連結されている。
【００２３】
有利には、前記連結点は、貫通穴を備えている。
【００２４】
好ましくは、ジュエリーアイテムは、宝石または他の装飾エレメントを収容するのに適したハウジングをさらに備えている。
【００２５】
したがって、前記アイテムの審美的な側面が改善される。
【００２６】
有利には、前記ハウジングは、各連結点および／または各中間エリアに配置されている。
【００２７】
好ましくは、前記モジュラーエレメントおよび／または前記モジュラーエレメントは長方形に形づくられている。
【００２８】
それの第二の側面によれば、本発明は、可変寸法のジュエリーアイテムを得るためにモジュラーエレメントを連結する方法に関連しており、
ａ．モジュラーエレメント（２）を少なくとも三つのさらなるモジュラーエレメント（２ａ，２ｂ，２ｃ）に、対応する三つの連結点（３ａ，３ｂ，３ｃ）において連結するステップと、
ｂ．前記モジュラーエレメント（２）に連結された前記三つのさらなるモジュラーエレメント（２ａ，２ｂ，２ｃ）の二つの間に少なくとも一つのモジュラーエレメント（２ｄ，２ｅ）を挿入するステップを有しており、その結果、そのような挿入されたさらなるモジュラーエレメント（２ｄ，２ｅ）は、それの中間エリア（４）において前記モジュラーエレメント（２）と適切に関連する。
【００２９】
そのような方法は、シンプルで経済的であり、耐性があり可変寸法の美学的に楽しいジュエリーアイテムを作成する目的を達成する。
【００３０】
好ましくは、前記ステップｂは、二つのさらなるジュラーエレメントの挿入を有しており、前記二つのさらなるモジュラーエレメントのおのおのは、前記モジュラーエレメントに連結された前記三つのさらなるモジュラーエレメントの二つの間に挿入される。
【００３１】
本発明のより良い理解のために、また、それの利点を認識するために、添付図面を関連して、本発明のアイテムと方法のいくつかの非制限的な実施形態の説明が以下に提供される。
【図面の簡単な説明】
【００３２】
【図１ａ】図１ａは、本発明の実施形態によるジュエリーアイテムのモジュラーエレメントの概要の斜視図を示している。
【図１ｂ】図１ｂは、本発明の実施形態によるジュエリーアイテムのモジュラーエレメントの概要の斜視図を示している。
【図１ｃ】図１ｃは、本発明の実施形態によるジュエリーアイテムのモジュラーエレメントの概要の斜視図を示している。
【図１ｄ】図１ｄは、本発明の実施形態によるジュエリーアイテムのモジュラーエレメントの概要の斜視図を示している。
【図２ａ】図２ａは、本発明の実施形態によるジュエリーアイテムのモジュラーエレメントの概要の斜視図を示している。
【図２ｂ】図２ｂは、本発明の実施形態によるジュエリーアイテムのモジュラーエレメントの概要の斜視図を示している。
【図３ａ】図３ａは、収縮外形にある、図１ａのモジュラーエレメントで得られた本発明の第一の実施形態によるジュエリーアイテムの一部分の平面図を示している。
【図３ｂ】図３ｂは、収縮外形にある、図１ａのモジュラーエレメントで得られた本発明の第一の実施形態によるジュエリーアイテムの一部分の斜視図を示している。
【図３ｃ】図３ｃは、図３ａの簡略バージョンである。
【図３ｄ】図３ｄは、図３ｂの簡略バージョンである。
【図４ａ】図４ａは、伸張外形にある、図３ａに表わされた部分を示している。
【図４ｂ】図４ｂは、伸張外形にある、図３ｂに表わされた部分を示している。
【図４ｃ】図４ｃは、図４ａの簡略バージョンである；
【図４ｄ】図４ｄは、図４ｂの簡略バージョンである；
【図５ａ】図５ａは、収縮外形にある、図１ａのモジュラーエレメントで得られた本発明の第二の実施形態によるジュエリーアイテムの一部分の平面図を示している。
【図５ｂ】図５ｂは、収縮外形にある、図１ａのモジュラーエレメントで得られた本発明の第二の実施形態によるジュエリーアイテムの一部分の斜視図を示している。
【図６ａ】図６ａは、伸張外形にある、図５ａに表わされた部分を示している。
【図６ｂ】図６ｂは、伸張外形にある、図５ｂに表わされた部分を示している。
【図７】図７は、収縮外形にある、図１ｃのモジュラーエレメントで得られた本発明の第三の実施形態によるジュエリーアイテムの一部の斜視図を示している。
【図７ａ】図７ａは、図７の部分の簡略バージョンの平面図を示している。
【図７ｂ】図７ｂは、図７の部分の簡略バージョンの分解組立図を示している。
【図８】図８は、伸張外形にある、図７に示されたジュエリーアイテムの部分の斜視図を示している。
【図８ａ】図８ａは、図８の部分の簡略バージョンの平面図を示している。
【図８ｂ】図８ｂは、図８の部分の簡略バージョンの分解組立図を示している。
【図９】図９は、本発明によるジュエリーアイテムの宝石または他の装飾エレメントのためのハウジングの二つの可能な変形を示している。
【図１０】図１０は、本発明によるジュエリーアイテムの宝石または他の装飾エレメントのためのハウジングの二つの可能な変形を示している。
【図１１】図１１は、収縮外形にある、本発明のある好適な実施形態によるジュエリーアイテムを示している。
【図１２】図１２は、伸張外形にある、本発明のある好適な実施形態によるジュエリーアイテムを示している。
【図１３】図１３は、収縮外形にある本発明の変形によるジュエリーアイテムの一部分の平面図を示している。
【図１４】図１４は、伸張外形にある本発明の変形によるジュエリーアイテムの一部分の平面図を示している。
【発明を実施するための形態】
【００３３】
図１〜１４に関連して、本発明によるジュエリーアイテムは、一般に参照番号１で示される。
【００３４】
ジュエリーアイテム１は、複数のモジュラーエレメント２を備えており、そのようなモジュラーエレメント２の少なくとも一つは、三つのさらなるモジュラーエレメント２ａ，２ｂ，２ｃに連結するための少なくとも三つの連結点３ａ，３ｂ，３ｃを備えており、連結点３ａ，３ｂ，３ｃは、前記少なくとも一つのモジュラーエレメント２をさらなるモジュラーエレメント２ａ，２ｂ，２ｃに連結するのに適している。
【００３５】
本発明によれば、ジュエリーアイテム１はさらに、少なくとも一つの中間部分４を備えており、それは、前記三つの連結点３ａ，３ｂ，３ｃの第一の連結点３ａと第二の連結点３ｂの間に挿入されている。そのような中間部分４は、前記さらなる第一のさらなるモジュラーエレメント２ａと前記さらなる第二のモジュラーエレメント２ｂの間へのさらなる第四のモジュラーエレメント２ｄの挿入を可能にするように構成されている。
【００３６】
言いかえれば、モジュラーエレメント２は、さらなるモジュラーエレメント２ｄ，２ｅの挿入のための三つの連結部分と一つの部分の、少なくとも四つの部分を備えている。
【００３７】
モジュラーエレメント２は、前記三つのさらなるモジュラーエレメント２ａ，２ｂ，２ｃに連結されており、また、ジュエリーアイテム１が収縮外形から伸張外形に進行してその寸法を変えるように、前記さらなる第四のモジュラーエレメント２ｄと適切に関連されている。
【００３８】
言いかえれば、上述の特徴の組み合わせは、アイテムが、たとえば、リング、ブレスレット、時計ストラップに、円形に形づくられる、直径が最小である収縮外形から、直径が最大である伸張外形に進行し、モジュラーエレメント２がそれの相対位置を変えることを可能にする。
【００３９】
収縮位置から伸張位置への進行およびその逆は調整されることができ、したがって、構造体の特定の外形および強健さのおかげで、アイテム１は、そのような極端な二つの位置の間のすべての中間位置を得てそのような中間位置にとどまり得る。
【００４０】
当然のこととして、上述の外形は、先行技術のアイテムのように、頂点においてだけではなく、他の四角形部分においても、相互に抑制されるアーテイキュラブル（articulable）頂点をもつ四角形システムを得ることを可能にする。
【００４１】
中間部分４は、二つの連結点３ａ，３ｂ，３ｃの間のブリッジとして役に立ち、第四のモジュラーエレメント２ｄが、それに固定されずに、その上をスライドすることを許し、または、前記さらなる第四のモジュラーエレメント２ｄへの連結のためのさらなる連結点を備えている。
【００４２】
図３ａ〜３ｄ，４ａ〜４ｄ，５ａ〜５ｄ，６ａ〜６ｄ，７，７ａ，７ｂ，８，８ａ，８ｂ，１３，１４に示される実施形態によれば、モジュラーエレメント２とさらなるモジュラーエレメント２ａ，２ｂ，２ｃはすべて互いに同一であるが、それらは異なっていてもよい。
【００４３】
図に見られるように、前記モジュラーエレメント２は同じ平面αに属しており、前記さらなるモジュラーエレメント２ａ，２ｂ，２ｃは、平面αに平行な同じ平面βに属している。
【００４４】
図１ｂ〜１ｄ，２ａ，２ｂ，７，７ａ，７ｂ，８，８ａ，８ｂ，１３および１４に示される実施形態によれば、二つの中間部分４があり、第一は、前記さらなる第一のモジュラーエレメント２ａへの連結のための前記第一の連結点３ａと、前記さらなる第二のモジュラーエレメント２ｂへの連結のための前記第二の連結点３ｂの間に挿入され、前記さらなる第一のモジュラーエレメント２ａと前記さらなる第二のモジュラーエレメント２ｂの間への前記さらなる第四のモジュラーエレメント２ｄの挿入を可能にするように構成されており、第二のものは、前記さらなる第二のモジュラーエレメント２ｂへの連結のための前記第二の連結点３ｂと、さらなる第三のモジュラーエレメント２ｃへの連結のための第三の連結点３ｃの間に挿入され、前記さらなる第二のモジュラーエレメント２ｂと前記さらなる第三のモジュラーエレメント２ｃの間へのさらなる第五のモジュラーエレメント２ｅの挿入を可能にするように構成されている。
【００４５】
示された実施形態によれば、モジュラーエレメント２とさらなるモジュラーエレメント２ａ，２ｂ，２ｃ，２ｄ，２ｅは、長方形に形づくられている。
【００４６】
特に、図１ａのモジュラーエレメント２は、長方形のエレメントを形成するために軸に沿って配された四つの円形部分を備えている。そのような四つの部分の三つは連結点３ａ，３ｂおよび３ｃと一致し、そのような円形部分の一つは中間部分４と一致している。
【００４７】
そのような円形部分のおのおのは、モジュラーエレメント２をさらなるモジュラーエレメント２ａ，２ｂおよび２ｃに回転および／または継手ピンを介して連結するのに適した貫通穴を備えている。
【００４８】
しかしながら、モジュラーエレメント２は、さらなるモジュラーエレメント２ａ，２ｂ，２ｃ，２ｄ，２ｅに必ずしも四点で連結されている必要はない。実際、中間部分４は、連結点を備えていても、備えていなくてもよい。
【００４９】
図１ｂのモジュラーエレメント２は、長方形のエレメントを形成するために軸に沿って配された五つの円形部分を備えている。そのような五つの部分の三つは連結点３ａ，３ｂおよび３ｃと一致し、そのような円形部分の二つは中間部分４と一致している。
【００５０】
そのような円形部分のおのおのは、モジュラーエレメント２をさらなるモジュラーエレメント２ａ，２ｂおよび２ｃに回転および／または継手ピンを介して連結するのに適した貫通穴を備えている。
【００５１】
しかしながら、前の場合と同様に、モジュラーエレメント２は、さらなるモジュラーエレメント２ａ，２ｂ，２ｃ，２ｄ，２ｅに必ずしも五点で連結されている必要はない。図１ｃ，１ｄ，２ａおよび２ｂのモジュラーエレメント２は、三つの円形部分を備えており、それらは連結点３ａ，３ｂおよび３ｃと一致しており、それらは、二つの（図１ｃおよび１ｄでは）直線または（図２ａおよび２ｂでは）曲線エレメントによって連結されており、それらは連結部分４と一致しており、長いエレメントを形成している。
【００５２】
そのような円形部分のおのおのは、モジュラーエレメント２をさらなるモジュラーエレメント２ａ，２ｂおよび２ｃに回転および／または継手ピンを介して連結するのに適した貫通穴を備えている。
【００５３】
さらに、図１ｃの直線エレメントと図２ａおよび２ｂの曲線エレメントは、さらなるモジュラーエレメント２ａ，２ｂおよび２ｃへのモジュラーエレメント２の連結のためにおそらく使用可能な貫通穴を備えている。
【００５４】
図２ａおよび２ｂのモジュラーエレメント２は、コレットまたはシムであってよい、審美的機能を有しているエレメント８を備えている。
【００５５】
そのようなエレメント８は、好ましくは、モジュラーエレメント２と一体である。
【００５６】
前述したように、モジュラーエレメント２は、前記連結点３ａ，３ｂ，３ｃにおいて前記さらなるモジュラーエレメント２ａ，２ｂ，２ｃにピンを介して連結されている。
【００５７】
好ましい実施形態では、ジュエリーアイテム１は、図１１および１２に見られるような宝石６、または、好ましくは機械加工され得る、図に示されていない、たとえばキャップを閉じる他の装飾エレメントを収容するのに適したハウジング５をさらに備えている。
【００５８】
そのようなハウジング５は、連結ピン７と一体であってよい。
【００５９】
そのような場合、前述の貫通穴はまた、そのようなハウジング５を整列させる機能を果たす。
【００６０】
貫通穴は、要求にしたがって、異なる形をしていてもよい。
【００６１】
図９および１０は、ハウジング５の二つの異なる変形を示している。しかしながら、それらは、そのような目的に適したどのような既知のタイプであってよい。
【００６２】
図７および８に示される実施形態では、前記ハウジング５は、各連結点３ａ，３ｂ，３ｃに配置されている。
【００６３】
これに反して、図３ａ，３ｂ，４ａ，４ｂ，５ａ，５ｂ，６ａ，６ｂに示される実施形態では、前記ハウジング５は、各連結点３ａ，３ｂ，３ｃに、また各中間エリア４に配置される。
【００６４】
図３ｃおよび３ｄは、図３ａおよび３ｂの簡略図を示している。同様に、図４ｃおよび４ｄは、図４ａおよび４ｂの簡略図を示している。
【００６５】
言いかえれば、図３ｃ，３ｄ，４ｃおよび４ｄは、ただ一つのモジュラーエレメント２と、それが、組み立てが完了した後に連結される、および／または、適切に関連される、さらなるモジュラーエレメント２ａ，２ｂ，２ｃ，２ｄを示している。
【００６６】
同様に、図７ａ，７ｂ，８ａ，８ｂ，１３，１４は、ただ一つのモジュラーエレメント２と、それが、組み立てが完了した後に連結される、および／または、適切に関連される、さらなるモジュラーエレメント２ａ，２ｂ，２ｃ，２ｄ，２ｅを示している。
【００６７】
図３ａ〜３ｄ，４ａ〜４ｄ，５ａ，５ｂ，６ａ，６ｂに示されたジュエリーアイテム１の一部分は、図１ａのモジュラーエレメント２で得られる。
【００６８】
図７，７ａ，７ｂ，８，８ａ，８ｂに示されたジュエリーアイテム１の一部分は、図１ｃのモジュラーエレメント２で得られる。
【００６９】
図１３および１４に示されたジュエリーアイテム１の一部分は、図１ｄのモジュラーエレメント２で得られる。
【００７０】
モジュラーエレメント２とさらなるモジュラーエレメント２ａ，２ｂ，２ｃ、２ｄ，２ｅは、アイテム１の一部分またはアイテム１全体に配されてよい。
【００７１】
前記ジュエリーアイテム１は好ましくはリングであるが、それは、既知のタイプの、またどのような形（フラット、凹状、凸状、曲線的、その他）のどのような装飾品であってよい。
【００７２】
明らかに、本発明は、修正を必要とすることなく、ジュエリー、銀器、模造ジュエリーなどのアイテムまで伸張される。
【００７３】
ジュエリーアイテム１は、適切と考えられるどのような材料で作られてもよい。
【００７４】
以下は、本発明による、可変寸法のジュエリーアイテムを得させるために複数のモジュラーエレメント２を連結する方法の説明である。
【００７５】
第一のステップａによれば、方法は、モジュラーエレメント（２）を少なくとも三つのさらなるモジュラーエレメント（２ａ，２ｂ，２ｃ）に、対応する三つの連結点（３ａ，３ｂ，３ｃ）において連結することを提供する。
【００７６】
続いて、本発明の方法は、前記モジュラーエレメント２に連結された前記三つのさらなるモジュラーエレメント２ａ，２ｂ，２ｃの二つの間への少なくとも一つのモジュラーエレメント２ｄ，２ｅの挿入のステップｂを有しており、その結果、そのような挿入されたさらなるモジュラーエレメント２ｄ，２ｅは、それの中間エリア４において前記モジュラーエレメント（２）と適切に関連する。
【００７７】
好ましくは、前記ステップｂは、二つのさらなるモジュラーエレメント２ｄ，２ｅの、おのおの、モジュラーエレメント２に連結された前記三つのさらなるモジュラーエレメント２ａ，２ｂ，２ｃの二つの間への挿入を有している。
【００７８】
挿入されたさらなるモジュラーエレメント２ｄ，２ｅをモジュラーエレメント２に連結するステップｃが設けられてもよい。
【００７９】
好ましくは、ステップａは、連結ピン３ａ，３ｂ，３ｃに配置されたピンによっておこなわれ、存在するとき、またステップｃが、同じ手法でおこなわれてよい。
【００８０】
好ましくは、ピンは、連結点３ａ，３ｂ，３ｃに存在する特定の貫通穴の中に挿入されており、それの突出ベースは、さらなるモジュラーエレメント２ａ，２ｂ，２ｃと一緒に鋳造される。
【００８１】
明らかに、本発明によるジュエリーアイテムとそれの生産プロセスは、この分野の熟練者によって偶然と要求に会う目的をもって、さらなる修正および変形がほどこされてもよく、それらはすべて本発明の保護の範囲内にある。
以下に、本願出願の当初の特許請求の範囲に記載された発明を付記する。
［１］  複数のモジュラーエレメント（２）を備えているジュエリーアイテム（１）であり、そのようなモジュラーエレメント（２）の少なくとも一つは、
・三つのさらなるモジュラーエレメント（２ａ，２ｂ，２ｃ）に連結するための少なくとも三つの連結点（３ａ，３ｂ，３ｃ）を備えており、各連結点（３ａ，３ｂ，３ｃ）は、前記少なくとも一つのモジュラーエレメント（２）をさらなるモジュラーエレメント（２ａ，２ｂ，２ｃ）に連結するのに適しており、また、
・少なくとも一つの中間部分（４）を備えており、それは、前記三つの連結点（３ａ，３ｂ，３ｃ）の第一のさらなるモジュラーエレメント（２ａ）への連結のための第一の連結点（３ａ）と、第二のさらなるモジュラーエレメント（２ｂ）への連結のための第二の連結点（３ｂ）の間に挿入されており、前記少なくとも一つの中間部分（４）は、前記さらなる第一のさらなるモジュラーエレメント（２ａ）と前記さらなる第二のモジュラーエレメント（２ｂ）の間へのさらなる第四のエレメント（２ｄ）の挿入を可能にするように構成されており、
前記少なくとも一つのモジュラーエレメント（２）は、前記三つのさらなるモジュラーエレメント（２ａ，２ｂ，２ｃ）に連結され、前記ジュエリーアイテム（１）が収縮外形から伸張外形に進行してその寸法を変えるように、前記さらなる第四のモジュラーエレメント（２ｄ）と適切に関連されている、ジュエリーアイテム。
［２］  前記中間部分（４）は、前記さらなる第四のモジュラーエレメント（２ｄ）への連結のためのさらなる連結点を備えている、［１］に記載のジュエリーアイテム（１）。
［３］  前記モジュラーエレメント（２）は互いに同一である、［１］または［２］に記載のジュエリーアイテム（１）。
［４］  前記さらなるモジュラーエレメント（２ａ，２ｂ，２ｃ、２ｄ）は互いに同一である、［１］ないし［３］のいずれか一つに記載のジュエリーアイテム（１）。
［５］  前記モジュラーエレメント（２）と前記さらなるモジュラーエレメント（２ａ，２ｂ，２ｃ、２ｄ）は互いに同一である、［１］ないし［４］のいずれか一つに記載のジュエリーアイテム（１）。
［６］  前記モジュラーエレメント（２）は同じ平面αに属し、前記さらなるモジュラーエレメント（２ａ，２ｂ，２ｃ、２ｄ）は、平面αに平行な同じ平面βに属している、［１］ないし［５］のいずれか一つに記載のジュエリーアイテム（１）。
［７］  前記中間部分（４）は二つあり、第一のものは、前記さらなる第一のモジュラーエレメント（２ａ）への連結のための前記第一の連結点（３ａ）と、前記さらなる第二のモジュラーエレメント（２ｂ）への連結のための前記第二の連結点（３ｂ）の間に挿入され、前記さらなる第一のモジュラーエレメント（２ａ）と前記さらなる第二のモジュラーエレメント（２ｂ）の間への前記さらなる第四のモジュラーエレメント（２ｄ）の挿入を可能にするように構成されており、第二のものは、前記さらなる第二のモジュラーエレメント（２ｂ）への連結のための前記第二の連結点（３ｂ）と、さらなる第三のモジュラーエレメント（２ｃ）への連結のための第三の連結点（３ｃ）の間に挿入され、前記さらなる第二のモジュラーエレメント（２ｂ）と前記さらなる第三のモジュラーエレメント（２ｃ）の間へのさらなる第五のモジュラーエレメント（２ｅ）の挿入を可能にするように構成されている、［１］ないし［６］のいずれか一つに記載のジュエリーアイテム（１）。
［８］  前記モジュラーエレメントは（２）は、回転ピンを介して前記連結点（３ａ，３ｂ，３ｃ）で前記さらなるモジュラーエレメント（２ａ，２ｂ，２ｃ）と連結されている、［１］ないし［７］のいずれか一つに記載のジュエリーアイテム（１）。
［９］  前記連結点（３ａ，３ｂ，３ｃ）は貫通穴を備えている、［１］ないし［８］のいずれか一つに記載のジュエリーアイテム（１）。
［１０］  宝石（６）または他の装飾エレメントを収容するのに適したハウジング（５）をさらに備えている、［１］ないし［９］のいずれか一つに記載のジュエリーアイテム（１）。
［１１］  前記ハウジング（５）は、連結点（３ａ，３ｂ，３ｃ）および／または各中間エリア（４）に配置されている、［１０］に記載のジュエリーアイテム（１）。
［１２］  前記モジュラーエレメント（２）および／または前記さらなるモジュラーエレメント（２ａ，２ｂ，２ｃ，２ｄ，２ｅ）の間の少なくとも一つは長方形に形づくられている、［１］ないし［１１］のいずれか一つに記載のジュエリーアイテム（１）。
［１３］  可変寸法のジュエリーアイテム（１）を得るためにモジュラーエレメント（２）を連結する方法であり、
ａ．モジュラーエレメント（２）を少なくとも三つのさらなるモジュラーエレメント（２ａ，２ｂ，２ｃ）に、対応する三つの連結点（３ａ，３ｂ，３ｃ）において連結するステップと、
ｂ．前記モジュラーエレメント（２）に連結された前記三つのさらなるモジュラーエレメント（２ａ，２ｂ，２ｃ）の二つの間に少なくとも一つのモジュラーエレメント（２ｄ，２ｅ）を挿入するステップを有しており、その結果、そのような挿入されたさらなるモジュラーエレメント（２ｄ，２ｅ）は、それの中間エリア（４）において前記モジュラーエレメント（２）と適切に関連する、方法。
［１４］  前記ステップｂは、二つのさらなるジュラーエレメントの、おのおの、前記モジュラーエレメントに連結された前記三つのさらなるモジュラーエレメントの二つの間への挿入を有している、［１３］に記載の可変寸法のジュエリーアイテム（１）を得るためにモジュラーエレメント（２）を連結する方法。
【図１ａ】
0005882445.tif 000002
【図１ｂ】
0005882445.tif 000003
【図１ｃ】
0005882445.tif 000004
【図１ｄ】
0005882445.tif 000005
【図２ａ】
0005882445.tif 000006
【図２ｂ】
0005882445.tif 000007
【図３ａ】
0005882445.tif 000008
【図３ｂ】
0005882445.tif 000009
【図３ｃ】
0005882445.tif 000010
【図３ｄ】
0005882445.tif 000011
【図４ａ】
0005882445.tif 000012
【図４ｂ】
0005882445.tif 000013
【図４ｃ】
0005882445.tif 000014
【図４ｄ】
0005882445.tif 000015
【図５ａ】
0005882445.tif 000016
【図５ｂ】
0005882445.tif 000017
【図６ａ】
0005882445.tif 000018
【図６ｂ】
0005882445.tif 000019
【図７】
0005882445.tif 000020
【図７ａ】
0005882445.tif 000021
【図７ｂ】
0005882445.tif 000022
【図８】
0005882445.tif 000023
【図８ａ】
0005882445.tif 000024
【図８ｂ】
0005882445.tif 000025
【図９】
0005882445.tif 000026
【図１０】
0005882445.tif 000027
【図１１】
0005882445.tif 000028
【図１２】
0005882445.tif 000029
【図１３】
0005882445.tif 000030
【図１４】
0005882445.tif 000031